【手続補正書】
【提出日】平成17年4月19日(2005.4.19)
【手続補正１】
【補正対象書類名】明細書
【補正対象項目名】発明の名称
【補正方法】変更
【補正の内容】
【発明の名称】駆動回路及び表示装置
【手続補正２】
【補正対象書類名】明細書
【補正対象項目名】特許請求の範囲
【補正方法】変更
【補正の内容】
【特許請求の範囲】
【請求項１】
スロット幅Δｔ単位でパルス幅制御されかつ各スロットにおける波高値がＡ１〜Ａｎのｎ段階（但し、ｎは２以上の整数で、０＜Ａ１＜Ａ２＜・・・・＜ＡｎでありＡ１は０でない階調データに対応する波高値）のいずれかの波高値に制御される駆動波形を１選択期間中に発光素子に供給する駆動回路であって、
前記駆動波形は、波高値が波高値Ａ１から波高値Ａｋ−１までの波高値に制御される部分を少なくとも１スロットずつ経て所定波高値Ａｋ（但し、ｋは２以上ｎ以下の整数）に制御される部分まで立ち上がる部分と、波高値が前記所定波高値Ａｋに制御されている部分から、波高値が前記波高値Ａｋ−１から波高値Ａ１までの波高値に制御される部分を少なくとも１スロットずつ経て立ち下がる部分とを有することを特徴とする発光素子の駆動回路。
【請求項２】
前記駆動波形が波高値Ａ１に立ち上がったスロットを第１スロットとするとき、第１〜第ｋ−１スロットの波高値がそれぞれＡ１〜Ａｋ−１、第ｋと第Ｎｋ＋ｋ−１スロット（但し、Ｎｋは１以上の整数）の波高値がＡｋ、第Ｎｋ＋ｋ〜第Ｎｋ＋２（ｋ−１）スロットの波高値がそれぞれＡｋ−１〜Ａ１となる駆動波形に対し、前記発光素子を駆動する駆動エネルギーを１段階増加させた駆動波形が、前記駆動波形の第Ｎｋ＋２ｋ−１スロットの波高値をＡ１に増加させたものであり、以降順次前記駆動エネルギーを１段階増加させた駆動波形が前段階の駆動波形に対して、さらに第Ｎｋ＋２（ｋ−１）スロットの波高値をＡ１からＡ２に、・・・・、第Ｎｋ＋ｋスロットの波高値をＡｋ−１からＡｋに変更した波形を有することを特徴とする請求項１に記載の駆動回路。
【請求項３】
波高値Ａｋから波高値Ａｋより低い各波高値を順番に少なくとも１スロットずつ経て立ち下がる部分を有する所定の駆動波形に対して、前記発光素子を駆動するエネルギーを一段階増加した駆動波形が、前段の駆動波形の前記立ち下がる部分において波高値がＡ１であったスロットに続くスロットの波高値をＡ１に増加させた波形を有しており、以降前記発光素子を駆動するエネルギーを一段階ずつ増加した駆動波形が、前段の駆動波形において、前々段の駆動波形に対して波高値を一段階増加させたスロットの一つ手前のスロットの波高値を一段階増加させた波形を有することを特徴とする請求項１もしくは２に記載の駆動回路。
【請求項４】
前段の駆動波形に対して前記発光素子を駆動するエネルギーを一段階ずつ増加した駆動波形が、前段の駆動波形において、前々段の駆動波形に対して波高値を一段階増加させたスロットの一つ手前のスロットの波高値を一段階増加させた波形を有するという前記関係は、該関係によって決まる駆動波形が前段の駆動波形に対して波高値を増加させたスロットの波高値が波高値Ａｋよりも一段階高い波高値である駆動波形までの一連の駆動波形が満たすものである請求項３に記載の駆動回路。
【請求項５】
前段の駆動波形に対して前記発光素子を駆動するエネルギーを一段階ずつ増加した駆動波形が、前段の駆動波形において、前々段の駆動波形に対して波高値を一段階増加させたスロットの一つ手前のスロットの波高値を一段階増加させた波形を有するという前記関係は、該関係によって決まる駆動波形が前段の駆動波形に対して波高値を増加させたスロットの波高値が波高値Ａｋである駆動波形までの一連の駆動波形が満たすものである請求項３に記載の駆動回路。
【請求項６】
前記駆動波形が波高値Ａ１に立ち上がったスロットを第１スロットとするとき、第１〜第ｋ−１スロットの波高値がそれぞれＡ１〜Ａｋ−１、第ｋと第Ｎｋ＋ｋ−１スロット（但し、Ｎｋは１以上の整数）の波高値がＡｋ、第Ｎｋ＋ｋ〜第Ｎｋ＋２（ｋ−１）スロットの波高値がそれぞれＡｋ−１〜Ａ１となる駆動波形に対し、前記発光素子を駆動する駆動エネルギーを１段階減少させた駆動波形が、前記駆動波形の第ｋスロットの波高値をＡｋからＡｋ−１に変更したものであり、以降順次前記駆動エネルギーを１段階減少させた駆動波形が前段階の駆動波形に対して、さらに第ｋ−１スロットの波高値をＡｋ−１からＡｋ−２に、・・・・、第１スロットの波高値をＡ１から輝度データの最低階調に対応する発光を生じさせない波高値に変更した波形を有することを特徴とする請求項１に記載の駆動回路。
【請求項７】
波高値Ａｋより低い各波高値を順番に少なくとも１スロットずつ経て波高値Ａｋまで立ち上がる部分を有する駆動波形に対して、前記発光素子を駆動するエネルギーを一段階減少した駆動波形が、前段の駆動波形の前記立ち上がる部分において波高値がＡｋ−１であったスロットに続くスロットであり波高値がＡｋであったスロットの波高値をＡｋ−１とした波形を有しており、以降前記発光素子を駆動するエネルギーを一段階ずつ減少した駆動波形が、前段の駆動波形において、前々段の駆動波形に対して波高値を一段階減少させたスロットの一つ手前のスロットの波高値を一段階減少させた波形を有することを特徴とする請求項１もしくは６に記載の駆動回路。
【請求項８】
前記駆動波形において波高値がＡｋである２つのスロットの間のスロットにおける波高値はＡｋである請求項１乃至７のいずれか１つに記載の駆動回路。
【請求項９】
前記波高値がＡｋである２つのスロットの間に他のスロットがある時には、該他のスロットにおける波高値はＡｋとするものであり、ｋ＝１の場合を含み前記波高値ＡｋがＡｎよりも小さく、かつ前段階の駆動波形に対して駆動エネルギーを一段階増加させることにより波高値がＡｋであるスロットの数が２個から３個になった駆動波形に対して、駆動エネルギーを更に一段階増加させた駆動波形は、前記駆動波形の波高値がＡｋである３個のスロットのうちの真中のスロットの波高値をＡｋからＡｋ＋１に変更した形状を有することを特徴とする請求項２乃至４、６、７のいずれか１つに記載の駆動回路。
【請求項１０】
所定の駆動波形よりも前記発光素子を駆動する駆動エネルギーを増加させた駆動波形は、前記所定の駆動波形に対して最大波高値を上昇させるよりもパルス幅を増加させることを優先させた形状を有する請求項１乃至３もしくは５乃至８のいずれか１つに記載の駆動回路。
【請求項１１】
所定の駆動波形に対して前記発光素子を駆動する駆動エネルギーを一段階増加して駆動波形の最大波高値を高くしたときの駆動波形は、波高値差Ａｎ−Ａｎ−１、・・・・、もしくはＡ２−Ａ１または波高値Ａ１と前記発光素子の駆動しきい値となる波高値との波高値差、およびスロット幅Δｔとで定まる単位駆動波形ブロックの数を前記所定の駆動波形で用いた数よりも一つ増加させて、最大波高値がなるべく連続するように積み直した形状を有する請求項１乃至３もしくは５乃至８もしくは１０のいずれか１つに記載の駆動回路。
【請求項１２】
階調データに対応する駆動波形を発生する駆動回路であって、
０でない前記階調データに対応する波高値である最小の波高値とより大きい前記階調データに対応する波高値である１つ以上の非最小の波高値とを含む不連続な複数の波高値に波高値が制御される駆動波形を１選択期間中に発生するものであり、
前記非最小の波高値に制御される部分を有する前記駆動波形が、前記最小の波高値に制御される部分を該駆動波形の先頭および末尾に有するものであることを特徴とする駆動回路。
【請求項１３】
マトリクスディスプレイを構成する複数個の発光素子に対してそれぞれの階調データに応じた前記駆動波形を印加することを特徴とする請求項１乃至１２のいずれか１つに記載の駆動回路。
【請求項１４】
複数の発光素子と、該複数の発光素子をマトリクス配線する走査信号配線及び情報信号配線と、請求項１乃至１３のいずれか１つに記載の駆動回路とを有しており、前記駆動回路は、複数の前記発光素子を駆動する駆動波形を発生するものであることを特徴とする表示装置。
【請求項１５】
前記走査信号配線に接続された走査回路を有しており、
前記駆動波形は、前記走査回路により選択された発光素子に対して前記情報信号配線を介して供給される請求項１４に記載の表示装置。
【請求項１６】
前記複数の情報信号配線の一部の情報信号配線に印加する駆動波形は、立ち上がりが走査回路が一つの走査信号配線を選択する選択期間の前半になるように制御し、他の一部の情報信号配線に印加する駆動波形は、立ち下がりが前記選択期間の後半になるように制御することを特徴とする請求項１５に記載の表示装置。
【請求項１７】
前記発光素子が表面伝導型放出素子を用いたものであることを特徴とする請求項１４乃至１６のいずれか１つに記載の表示装置。
【手続補正３】
【補正対象書類名】明細書
【補正対象項目名】００４４
【補正方法】削除
【補正の内容】
【手続補正４】
【補正対象書類名】明細書
【補正対象項目名】００４５
【補正方法】削除
【補正の内容】
【手続補正５】
【補正対象書類名】明細書
【補正対象項目名】００４６
【補正方法】削除
【補正の内容】
【手続補正６】
【補正対象書類名】明細書
【補正対象項目名】００４７
【補正方法】変更
【補正の内容】
【００４７】
【課題を解決するための手段】
本願にかかわる発光素子の駆動回路の発明の一つは以下のように構成される。
スロット幅Δｔ単位でパルス幅制御されかつ各スロットにおける波高値がＡ１〜Ａｎのｎ段階（但し、ｎは２以上の整数で、０＜Ａ１＜Ａ２＜・・・・＜ＡｎでありＡ１は０でない階調データに対応する波高値）のいずれかの波高値に制御される駆動波形を１選択期間中に発光素子に供給する駆動回路であって、前記駆動波形は、波高値が波高値Ａ１から波高値Ａｋ−１までの波高値に制御される部分を少なくとも１スロットずつ経て所定波高値Ａｋ（但し、ｋは２以上ｎ以下の整数）に制御される部分まで立ち上がる部分と、波高値が前記所定波高値Ａｋに制御されている部分から、波高値が前記波高値Ａｋ−１から波高値Ａ１までの波高値に制御される部分を少なくとも１スロットずつ経て立ち下がる部分を有することを特徴とする発光素子の駆動回路。
この発明によれば駆動波形を段階的に立ち上げ、かつ立ち下げることで発光素子を正確に駆動することが可能となる。なお、駆動波形の立ち上がり部分に波高値Ａｋよりも高い波高値まで立ち上がる部分を有している場合、波高値Ａｋに達した後駆動波形を急激に立ち上げるのは好ましくない。よって上記発明において、波高値Ａｋは駆動波形の（少なくとも立ち上がり部分の）最大波高値であることが望ましい。
【手続補正７】
【補正対象書類名】明細書
【補正対象項目名】００５７
【補正方法】変更
【補正の内容】
【００５７】
また、一段階ずつ駆動エネルギーが異なる一連の駆動波形を以下のように設定しても良い。すなわち、
前記駆動波形が波高値Ａ１に立ち上がったスロットを第１スロットとするとき、第１〜第ｋ−１スロットの波高値がそれぞれＡ１〜Ａｋ−１、第ｋと第Ｎｋ＋ｋ−１スロット（但し、Ｎｋは１以上の整数）の波高値がＡｋ、第Ｎｋ＋ｋ〜第Ｎｋ＋２（ｋ−１）スロットの波高値がそれぞれＡｋ−１〜Ａ１となる駆動波形に対し、前記発光素子を駆動する駆動エネルギーを１段階減少させた駆動波形が、前記駆動波形の第ｋスロットの波高値をＡｋからＡｋ−１に変更したものであり、以降順次前記駆動エネルギーを１段階減少させた駆動波形が前段階の駆動波形に対して、さらに第ｋ−１スロットの波高値をＡｋ−１からＡｋ−２に、・・・・、第１スロットの波高値をＡ１から輝度データの最低階調に対応する発光を生じさせない波高値に変更した波形を有する構成である。
【手続補正８】
【補正対象書類名】明細書
【補正対象項目名】００７２
【補正方法】変更
【補正の内容】
【００７２】
また、波高値差Ａｍ−Ａｍ−１（但し、ｍは１以上ｎ以下の整数、Ａ０は発光素子の駆動しきい値）が概ね一定であるか、または２以上のｍに対してＡｍ−Ａｍ−１≧Ａｍ−１−Ａｍ−２であり、ｋ＝１の場合を含み前記波高値Ａｋが駆動波形の最大波高値になっておりかつ前記波高値ＡｋがＡｎより小さく、かつ前記波高値がＡｋであるスロットに挟まれるスロットの波高値はＡｋであり、かつ前記Ｎｋ＋２（ｋ−１）が所定の最大スロット数Ｓ（但し、Ｓは２ｎ−１以上の整数）に達した駆動波形に対し、前記駆動エネルギーをさらに１段階増加させる場合、波高値がＡ１になっているスロットに隣接しておりかつ波高値が前記発光素子が実質的に駆動されない波高値になっているスロットの波高値をＡ１に変更する代わりに、波高値がＡ１よりも高いスロットの数が（Ｓ・ｋ＋２ｋ＋１）／（ｋ＋１）以上のこれに最も近い整数であり、最大波高値がＡｋ＋１であり、前記波高値差Ａｍ−Ａｍ−１とスロット幅Δｔとで定まる単位駆動波形ブロックの数が前記駆動波形に対して１個だけ多く、かつ本願にかかわる駆動回路において前述した駆動波形に変更し、波高値がＡ１〜Ａｋのいずれかであり同一であるスロットが複数個ある場合は、以後さらに前記駆動エネルギーを１段階増加させるときに、波高値がより小さく、波高値が１段階上であるスロットにより近いスロットの波高値を１段階大きくすることを特徴とする構成を採用できる。
【手続補正９】
【補正対象書類名】明細書
【補正対象項目名】００７４
【補正方法】変更
【補正の内容】
【００７４】
また本願は以下の発明を含んでいる。すなわち、
階調データに対応する駆動波形を発生する駆動回路であって、
０でない前記階調データに対応する波高値である最小の波高値とより大きい前記階調データに対応する波高値である１つ以上の非最小の波高値とを含む不連続な複数の波高値に波高値が制御される駆動波形を１選択期間中に発生するものであり、
前記非最小の波高値に制御される部分を有する前記駆動波形が、前記最小の波高値に制御される部分を該駆動波形の先頭および末尾に有するものであることを特徴とする駆動回路である。
【手続補正１０】
【補正対象書類名】明細書
【補正対象項目名】００７６
【補正方法】削除
【補正の内容】
【手続補正１１】
【補正対象書類名】明細書
【補正対象項目名】００７７
【補正方法】削除
【補正の内容】
【手続補正１２】
【補正対象書類名】明細書
【補正対象項目名】００７８
【補正方法】削除
【補正の内容】
【手続補正１３】
【補正対象書類名】明細書
【補正対象項目名】００７９
【補正方法】削除
【補正の内容】
【手続補正１４】
【補正対象書類名】明細書
【補正対象項目名】００８０
【補正方法】削除
【補正の内容】
【手続補正１５】
【補正対象書類名】明細書
【補正対象項目名】００８１
【補正方法】削除
【補正の内容】
【手続補正１６】
【補正対象書類名】明細書
【補正対象項目名】００８２
【補正方法】削除
【補正の内容】
【手続補正１７】
【補正対象書類名】明細書
【補正対象項目名】００８３
【補正方法】削除
【補正の内容】
【手続補正１８】
【補正対象書類名】明細書
【補正対象項目名】００８４
【補正方法】削除
【補正の内容】
【手続補正１９】
【補正対象書類名】明細書
【補正対象項目名】００８５
【補正方法】変更
【補正の内容】
【００８５】
以上述べた各発明において、前記発光素子が、マトリクスディスプレイを構成する複数個の発光素子であり、各発光素子にそれぞれの階調データに応じた前記駆動波形を印加する構成を好適に採用できる。
【手続補正２０】
【補正対象書類名】明細書
【補正対象項目名】００９２
【補正方法】削除
【補正の内容】